(57)【要約】 【課題】  アンプル形状の容器に取付け可能で、ＲＦＩＤ識別体の検出位置に短時間で容易に合わせ、読取りを可能にする、液体又は固体を収納したアンプル形状の容器の識別又は容器内の内容物の識別をするＲＦＩＤ識別装置を提供すること。【解決手段】  液体又は固体の内容物を収納するアンプル容器４の上部に取付けと取り外しが可能な識別体３と識別体３に対する識別情報の検出器とでアンプル容器４またはアンプル容器４内の内容物の識別をするＲＦＩＤ識別装置において、ＲＦＩＤの識別体３は、筒形状で、該筒形状のＲＦＩＤ識別体の外周部に電気伝導体からなるＲＦＩＤ用アンテナ２をらせん状に巻き回し、巻き始めの端部と巻き終わりの端部とにＲＦＩＤ用ＩＣ１を接続させること。【選択図】  図１
2007204253.tif 000002
【特許請求の範囲】
【請求項１】
液体又は固体の内容物を収納するアンプル形状の容器の上部に取付けと取り外しが可能な識別体と前記識別体の識別情報を検出する検出器とで前記容器または前記内容物の識別をするＲＦＩＤ識別装置において、前記ＲＦＩＤ識別体は、筒形状で、該筒形状の前記ＲＦＩＤ識別体の外周部に電気伝導体からなるアンテナをらせん状に巻き回し、巻き始めの端部と巻き終わりの端部とにＲＦＩＤ用ＩＣを接続させたことを特徴とするＲＦＩＤ識別装置。
【発明の詳細な説明】
【技術分野】
【０００１】
本発明は、ＲＦＩＤ識別装置に関し、特に、医療分野、食品業界、科学研究開発などで使用される液体又は固体を収納したアンプル形状の容器の識別又は容器内の内容物の識別に好適なＲＦＩＤ識別装置に関する。
【背景技術】
【０００２】
識別番号を印刷したラベルシールをアンプル本体の胴体部に貼付けたり、マジックペン等で管理番号などの識別番号を予めアンプル本体の胴体部に貼り付けたシールに記載する方法は、アンプル形状の容器又は容器内の内容物を識別する従来の一般的な方法であった。
【０００３】
近年、履歴管理の兼ね合いで、医薬品メーカーの製造時点で、管理番号をバーコードで印刷した製品内容表示ラベルを医薬品の薬剤アンプルに貼付けた製品が国内外で実用化されている。また、ＲＦＩＤ機能を有するラベルシールを医薬品に貼付け、ＩＣタグで履歴を管理するシステムの実用化を目指した実証実験が、国内外の各団体で行われている。
【０００４】
また、ＲＦＩＤ機能を有するＩＣタグを医薬品のアンプルの容器部に貼り付け、収納物を収納する際に、その収納物を収納すべき引き出しを短時間で特定する（識別する）技術が、特許文献１に開示されている。
【０００５】
【特許文献１】特開２００４−２５６２４２号公報
【発明の開示】
【発明が解決しようとする課題】
【０００６】
従来の液体又は固体を収納したアンプル形状の容器の識別又は容器内の内容物を識別するＲＦＩＤ識別装置では、アンプル容器の容器部に取付けられたＲＦＩＤ機能を有するＩＣタグの識別情報をＩＣタグ検出装置で検出する。その場合は、ＩＣタグが貼り付けてあるアンプル容器の容器部の部分が、ＩＣタグ検出装置で検出できるようにＩＣタグ検出装置で検出できる位置に調整する必要があった。この場合、検出時にお互いの位置関係を調整することは、非常に手間と時間がかかり、実用上の大きな課題になっていた。
【０００７】
また、特許文献１においても同様な問題点をかかえていた。
【０００８】
本発明は、上述した問題点を解決すべくなされたもので、その技術課題は、アンプル形状の容器に取付け可能で、ＲＦＩＤ識別体の検出位置に短時間で容易に合わせ、読取りを可能にする液体又は固体を収納したアンプル形状の容器の識別又は容器内の内容物の識別をするＲＦＩＤ識別装置を提供することである。
【課題を解決するための手段】
【０００９】
上記目的を達成するための第１の発明は、液体又は固体の内容物を収納するアンプル形状の容器の上部に取付けと取り外しが可能な識別体と前記識別体の識別情報を検出する検出器とで前記容器または前記内容物の識別をするＲＦＩＤ識別装置において、前記ＲＦＩＤ識別体は、筒形状で、該筒形状の前記ＲＦＩＤ識別体の外周部に電気伝導体からなるアンテナをらせん状に巻き回し、巻き始めの端部と巻き終わりの端部とにＲＦＩＤ用ＩＣを接続させたＲＦＩＤ識別装置である。
【発明の効果】
【００１０】
本発明によれば、液体又は固体の内容物を収納するアンプル形状の容器の上部に取付けと取り外しが可能な識別体と前記識別体の識別情報を検出する検出器とで前記容器または内容物の識別をするＲＦＩＤ識別装置において、前記ＲＦＩＤ識別体は、筒形状で、該筒形状の前記ＲＦＩＤ識別体の外周部に電気伝導体からなるアンテナをらせん状に巻き回し、巻き始めの端部と巻き終わりの端部とにＲＦＩＤ用ＩＣを接続させることで、容器の径方向の回転向きが如何なる方向であっても検出器との位置関係が変わらない構成を実現できる。
【００１１】
特に、前記検出器を下側に設置し、前記検出器上部にアンプル形状の容器を寝かせ、検出する方法にすると、各種多様な背丈のアンプル容器に対し、背丈方向のみ揃えることで、識別情報の検出が容易にできるようになり、情報の記憶、読み出し、書換えが可能になる。
【００１２】
その結果、アンプル形状の容器に取付け可能で、ＲＦＩＤ識別体の検出位置に短時間で容易に合わせ、読取りを可能にする液体又は固体を収納したアンプル形状の容器の識別又は容器内の内容物の識別をするＲＦＩＤ識別装置の提供が可能になる。
【発明を実施するための最良の形態】
【００１３】
本発明を実施するための最良の形態に係るＲＦＩＤ識別装置を以下に比較例および図面を参照して詳細に説明する。
【００１４】
図１は、本発明のＲＦＩＤ識別装置の識別体をアンプル形状の容器に取付けた状態を示す斜視図である。図２は、本発明のＲＦＩＤ識別装置の識別体を示す斜視図である。図３は、本発明のＲＦＩＤ識別装置の原理を説明する斜視図である。図３（ａ）は、斜め方向から見た本発明のＲＦＩＤ識別装置の斜視図である。図３（ｂ）は、上方から見た本発明のＲＦＩＤ識別装置の斜視図である。図４は、比較例のＲＦＩＤ識別装置の原理を説明する斜視図である。図４（ａ）は、比較例のＲＦＩＤ識別装置の識別体をアンプル形状の容器に取付けた状態を示す斜視図で、図４（ｂ）は、比較例のＲＦＩＤ識別装置の斜視図である。図５は、比較例の光識別装置の原理を説明する斜視図である。図５（ａ）は、比較例の光識別装置の識別体をアンプル形状の容器に取付けた状態を示す斜視図で、図５（ｂ）は、比較例の光識別装置の斜視図である。
【００１５】
図１、図２に示されるように、本発明のＲＦＩＤ識別装置の識別体３は、ＲＦＩＤ用ＩＣ１とＲＦＩＤ用アンテナ２から構成される。識別体３は、アンプル容器４を挟持する識別体を取付けるための爪９を備えることで、アンプル容器４から識別体３を取付け、取り外しができる構造になっている。
【００１６】
図１に示されるように、本発明のＲＦＩＤ識別装置の識別体３は、筒形状である。ここでは、円筒形のＲＦＩＤ識別装置の識別体３を用いる。ＲＦＩＤ用アンテナ２になる銅線が、ＲＦＩＤ識別装置の円筒形の識別体３における外周部にらせん状に巻き回しされている。ＲＦＩＤ用のアンテナ２になる銅線の巻き始めの端部と巻き終わりの端部は、ＲＦＩＤ用ＩＣ１に電気的に接続をされる。本発明の形態では、電気伝導体として銅を用いているが、電気伝導体であれば良い。
【００１７】
本発明を実施するための最良の形態に係るＲＦＩＤ識別装置では、識別体３の円筒形の筒は、軟質プラスチックで形成され、アンプル容器４に識別体を取り付けるための爪９が識別体３の筒の内周部に形成される。アンプル容器４に識別体を取り付けるための爪９も、軟質プラスチックで形成される。識別体３の円筒形の筒およびアンプル容器４に識別体を取り付けるための爪９は、アンプル容器４より硬度が小さいもので、アンプル容器４に傷等の衝撃を与えない材料が好適である。
【００１８】
なお、アンプル容器４に識別体を取り付けるための爪９は、アンプル容器４を安定に挟持できるように、２箇所以上設けるのが好ましい。本発明では、アンプル容器に識別体を取り付けるための爪９を識別体３の筒の内周部に３箇所形成している。
【００１９】
更に、外部応力を抑制し、識別体３を保護するための保護カバーを識別体３の筒の外周に形成する。
【００２０】
なお、本発明のＲＦＩＤ識別装置の識別体３は、断面形状が楕円又は多角形の筒形状でもよい。
【００２１】
図４に示されるように、比較例のＲＦＩＤ識別装置では、ＲＦＩＤ用アンテナ２が識別情報の検出器５から発生された磁束７の方向に対して略垂直になるようにアンプル容器４に装着した識別体３を半径方向に回転して位置調整する必要があった。位置調整が不十分な場合には、識別体３を検出できない等の不具合が生じ、その位置調整に要する時間も無視できないものであった。
【００２２】
図５に示されるように、比較例の光識別装置では、バーコード６が識別情報の検出器５から発生されたセンサー光８に対して、略垂直になるようにバーコード６のパターンの向きを揃えるために、バーコード６を装着したアンプル容器４を半径方向および背丈方向の両方とも揃える必要があった。位置調整が不十分な場合には、バーコード６を検出できない等の不具合が生じ、その位置調整に要する時間も無視できないものであった。
【００２３】
図３に示されるように、本発明のＲＦＩＤ識別装置では、識別情報の検出器５から発生される磁束７に対して、らせん状に巻回されたコイルの開口面が垂直になるように、識別情報の検出器５とアンプル容器４との位置調整をする必要があるが、アンプル容器４の背丈方向を揃えるだけで、識別体３の情報を識別情報の検出器５が十分に検出できる位置に調整できる。図３中の太い矢印で示すように、アンプル容器４の半径方向の回転向きが如何なる方向でも識別情報の検出器５の検出性能に変わりはない。
【００２４】
以上に示したように、本発明の識別装置は、アンプル容器を識別情報の検出器に対して、背丈方向だけ揃えるだけで、アンプル容器の半径方向の回転向きが如何なる方向であっても識別情報の検出器との位置関係が変わらない。特に、識別情報の検出器を下側に設置し、識別情報の検出器上部に容器を寝かせ、検出する方法では、各種多様な背丈のアンプル容器に対し、背丈方向のみ揃えるだけで、識別体の識別情報を容易に検出できる。
【００２５】
その結果、アンプル形状の容器に取付け可能で、ＲＦＩＤ識別体の検出位置に短時間で容易に合わせ、読取りを可能にする液体又は固体を収納したアンプル形状の容器の識別又は容器内の内容物の識別をするＲＦＩＤ識別装置の提供が可能になる。
【図面の簡単な説明】
【００２６】
【図１】本発明のＲＦＩＤ識別装置の識別体をアンプル形状の容器に取付けた状態を示す斜視図。
【図２】本発明のＲＦＩＤ識別装置の識別体を示す斜視図。
【図３】本発明のＲＦＩＤ識別装置の原理を説明する斜視図を示し、図３（ａ）は斜め方向から見た斜視図、図３（ｂ）は上方から見た斜視図。
【図４】比較例のＲＦＩＤ識別装置の原理を説明する斜視図を示し、図４（ａ）は比較例のＲＦＩＤ識別装置の識別体をアンプル形状の容器に取付けた状態を示す、図４（ｂ）は比較例のＲＦＩＤ識別装置の斜視図。
【図５】比較例の光識別装置の原理を説明する斜視図を示し、図５（ａ）は比較例の光識別装置の識別体をアンプル形状の容器に取付けた状態を示す斜視図、図５（ｂ）は比較例の光識別装置の斜視図。
【符号の説明】
【００２７】
１    ＲＦＩＤ用ＩＣ
２    ＲＦＩＤ用アンテナ
３    識別体
４    アンプル容器
５    識別情報の検出器
６    バーコード
７    （検出装置から発生されたＲＦＩＤ通信用の）磁束
８    （検出装置から発生されたバーコード読取り用の）センサー光
９    識別体を取り付けるための爪
【図１】
2007204253.tif 000003
【図２】
2007204253.tif 000004
【図３】
2007204253.tif 000005
【図４】
2007204253.tif 000006
【図５】
2007204253.tif 000007